(57)【要約】【課題】硬貨処理装置および硬貨処理方法を提供する。【解決手段】硬貨が格納される硬貨金庫と、前記硬貨をバラ状態で出金するバラ硬貨出金部と、前記硬貨を複数枚単位で包装する硬貨包装部と、前記硬貨包装部により包装された複数枚の硬貨を出金する包装硬貨出金部と、前記硬貨金庫に格納されている硬貨の量に応じ、前記硬貨金庫に格納されている硬貨を前記バラ硬貨出金部または前記硬貨包装部のいずれに搬送するかを制御する制御部と、を備える硬貨処理装置。【選択図】図１
2012208806.tif 000002
【特許請求の範囲】
【請求項１】
硬貨が格納される硬貨金庫と、
前記硬貨をバラ状態で出金するバラ硬貨出金部と、
前記硬貨を複数枚単位で包装する硬貨包装部と、
前記硬貨包装部により包装された複数枚の硬貨を出金する包装硬貨出金部と、
前記硬貨金庫に格納されている硬貨の量に応じ、前記硬貨金庫に格納されている硬貨を前記バラ硬貨出金部または前記硬貨包装部のいずれに搬送するかを制御する制御部と、
を備える硬貨処理装置。
【請求項２】
前記制御部は、前記硬貨金庫に格納されている硬貨が所定量未満である場合、前記硬貨金庫に格納されている硬貨が前記バラ硬貨出金部に搬送されるように制御し、前記硬貨金庫に格納されている硬貨が所定量以上である場合、前記硬貨金庫に格納されている硬貨が前記硬貨包装部に搬送されるように制御する、請求項１に記載の硬貨処理装置。
【請求項３】
前記硬貨処理装置は、前記硬貨の出金方法の選択画面を表示する表示部をさらに備え、
前記制御部は、前記出金方法の選択画面において所定項目が選択された場合に前記制御を行う、請求項２に記載の硬貨処理装置。
【請求項４】
前記硬貨金庫には、前記硬貨が金種別に格納されており、
前記制御部は、金種ごとに、前記硬貨金庫に格納されている硬貨の量に応じて搬送先を制御する、請求項３に記載の硬貨処理装置。
【請求項５】
前記硬貨金庫には、前記硬貨が金種別に格納されており、
前記制御部は、前記硬貨金庫に格納されている全金種の硬貨が所定量未満である場合に前記硬貨金庫に格納されている全金種の硬貨が前記バラ硬貨出金部に搬送されるように制御し、前記硬貨金庫に格納されている少なくともいずれかの金種の硬貨が所定量以上である場合に前記硬貨金庫に格納されている全金種の硬貨が前記硬貨包装部に搬送されるように制御する、請求項１に記載の硬貨処理装置。
【請求項６】
前記所定量は、前記硬貨を包装する単位である複数の枚数に等しい、請求項２〜５のいずれか一項に記載の硬貨処理装置。
【請求項７】
前記制御部は、前記硬貨金庫に格納されている硬貨の量と１未満の係数との乗算結果が前記所定量未満であるか否かに応じて前記硬貨の搬送先を制御する、請求項６に記載の硬貨処理装置。
【請求項８】
前記所定量は、前記バラ硬貨出金部の収納容量の限界値である、請求項２〜５のいずれか一項に記載の硬貨処理装置。
【請求項９】
硬貨金庫に格納されている硬貨の量に応じ、前記硬貨金庫に格納されている硬貨を、前記硬貨をバラ状態で出金するバラ硬貨出金部、または前記硬貨を複数枚単位で包装する硬貨包装部のいずれに搬送するかを制御する、硬貨処理方法。
【発明の詳細な説明】
【技術分野】
【０００１】
本発明は、硬貨処理装置および硬貨処理方法に関する。
【背景技術】
【０００２】
昨今、大口の入出金を行うため大量の紙幣・硬貨の入出金を行う現金処理装置が知られている。特に硬貨の入出金を取り扱う硬貨処理装置は、所定量の硬貨を紙やビニール等のシートで棒状（円柱状）に包装した棒金を排出することにより、大量の硬貨の出金やオペレータによる回収を容易にする。
【０００３】
また、金融機関のＡＴＭ（Ａｕｔｏｍａｔｅｄ  ｔｅｌｌｅｒ  ｍａｃｈｉｎｅ）に代表される自動取引装置は、銀行、駅構内およびコンビニエンスストアなど、多様な場所に設置されている。顧客は、この自動取引装置に表示される表示画面において各種操作を行うことにより、入金、出金および残高照会などの取引を行うことができる。
【０００４】
ここで、従来は上記棒金を排出する機能を有する硬貨処理装置は、行員や特定法人専用とされていたため、一般顧客は利用することができず、窓口担当者に依頼して処理を待たなければならなかった。しかし、特許文献１記載の自動取引装置は、顧客操作型のＡＴＭに上記硬貨処理装置の機能を兼用し、これにより一般顧客は自ら自動取引装置で大口の入出金処理を行うことができた。また、行員によるバラ現金回収業務負担を軽減することができ、低コスト経営が可能となった。
【先行技術文献】
【特許文献】
【０００５】
【特許文献１】特開２００４−７０４８６号公報
【発明の概要】
【発明が解決しようとする課題】
【０００６】
上述したような棒金を排出する機能を有する硬貨処理装置からバラ硬貨全回収を行う場合は、オペレータは手回収若しくは包装回収を選択することができる。
【０００７】
手回収が選択された場合、硬貨処理装置は、バラ硬貨金庫に収納されるバラ硬貨を全てバラ硬貨出金リジェクト庫に搬送する。そして、オペレータはバラ硬貨出金リジェクト庫を取り出し、バラ硬貨出金リジェクト庫からバラ硬貨を回収する。
【０００８】
しかしながら、バラ硬貨が大量にある場合は、バラ硬貨出金リジェクト庫が満杯になるので、１回で全てのバラ硬貨を回収することができない。したがってオペレータはバラ硬貨を一旦回収してから、空にしたバラ硬貨出金リジェクト庫を硬貨処理装置に戻し、再度バラ硬貨全回収の手回収操作を行なわなければならず、バラ硬貨回収に手間と時間がかかっていた。
【０００９】
一方、包装回収が選択された場合は、硬貨処理装置はバラ硬貨金庫に収納されるバラ硬貨を全て硬貨包装部に搬送し、硬貨包装部により所定量の硬貨を包装し、包装した棒金を棒金放出部から放出する。また、硬貨包装処理により生じた端数の硬貨は、端数貨幣収納庫に搬送されるので、オペレータは端数貨幣収納庫を取り出して端数の硬貨を回収する。
【００１０】
しかしながら、バラ硬貨が所定量に満たない場合はバラ硬貨を包装することができず、端数貨幣収納庫に搬送されて回収されることになるため、硬貨包装部に必要ない動作をさせることになり、バラ硬貨全回収に無駄な時間がかかっていた。
【００１１】
上記問題に対して、バラ硬貨金庫に収納されるバラ硬貨の在高をディスプレイに表示させることで、オペレータがバラ硬貨の在高を確認して適切な回収方法を選択することもできるが、オペレータが毎回在高を確認して回収方法の判断を行うことは作業が煩雑になり、作業負担が増大するという問題があった。
【００１２】
そこで、本発明は、上記問題に鑑みてなされたものであり、本発明の目的とするところは、硬貨回収作業の効率をより向上させることを可能とする、新規かつ改良された硬貨処理装置および硬貨処理方法を提供することにある。
【課題を解決するための手段】
【００１３】
上記課題を解決するために、本発明のある観点によれば、硬貨が格納される硬貨金庫と、前記硬貨をバラ状態で出金するバラ硬貨出金部と、前記硬貨を複数枚単位で包装する硬貨包装部と、前記硬貨包装部により包装された複数枚の硬貨を出金する包装硬貨出金部と、前記硬貨金庫に格納されている硬貨の量に応じ、前記硬貨金庫に格納されている硬貨を前記バラ硬貨出金部または前記硬貨包装部のいずれに搬送するかを制御する制御部と、を備える硬貨処理装置が提供される。
【００１４】
また、前記制御部は、前記硬貨金庫に格納されている硬貨が所定量未満である場合、前記硬貨金庫に格納されている硬貨が前記バラ硬貨出金部に搬送されるように制御し、前記硬貨金庫に格納されている硬貨が所定量以上である場合、前記硬貨金庫に格納されている硬貨が前記硬貨包装部に搬送されるように制御してもよい。
【００１５】
また、前記硬貨処理装置は、前記硬貨の出金方法の選択画面を表示する表示部をさらに備え、前記制御部は、前記出金方法の選択画面において所定項目が選択された場合に前記制御を行ってもよい。
【００１６】
また、前記硬貨金庫には、前記硬貨が金種別に格納されており、前記制御部は、金種ごとに、前記硬貨金庫に格納されている硬貨の量に応じて搬送先を制御してもよい。
【００１７】
また、前記硬貨金庫には、前記硬貨が金種別に格納されており、前記制御部は、前記硬貨金庫に格納されている全金種の硬貨が所定量未満である場合に前記硬貨金庫に格納されている全金種の硬貨が前記バラ硬貨出金部に搬送されるように制御し、前記硬貨金庫に格納されている少なくともいずれかの金種の硬貨が所定量以上である場合に前記硬貨金庫に格納されている硬貨が前記硬貨包装部に搬送されるように制御してもよい。
【００１８】
また、前記所定量は、前記硬貨を包装する単位である複数の枚数に等しくてもよい。
【００１９】
また、前記制御部は、前記硬貨金庫に格納されている硬貨の量と１未満の係数との乗算結果が前記所定量未満であるか否かに応じて前記硬貨の搬送先を制御してもよい。
【００２０】
また、前記所定量は、前記バラ硬貨出金部の収納容量の限界値であってもよい。
【００２１】
また、上記課題を解決するために、本発明の別の観点によれば、硬貨金庫に格納されている硬貨の量に応じ、前記硬貨金庫に格納されている硬貨を、前記硬貨をバラ状態で出金するバラ硬貨出金部、または前記硬貨を複数枚単位で包装する硬貨包装部のいずれに搬送するかを制御する硬貨処理方法が提供される。
【発明の効果】
【００２２】
以上説明したように本発明によれば、硬貨回収作業の効率をより向上させることができる。
【図面の簡単な説明】
【００２３】
【図１】本発明の実施形態による硬貨処理装置の概略外観図である。
【図２】本発明の実施形態による回収方法のメニュー画面の一例を示す図である。
【図３】本発明の実施形態による硬貨処理装置のブロック構成図である。
【図４】本発明の実施形態によるバラ硬貨全回収（手回収）の動作処理を示すフローチャートである。
【図５】本発明の実施形態によるバラ硬貨全回収（手回収）時の硬貨の搬送経路を示す図である。
【図６】本発明の実施形態によるバラ硬貨全回収（包装回収）の動作処理を示すフローチャートである。
【図７】本発明の実施形態によるバラ硬貨全回収（包装回収）時の硬貨の搬送経路を示す図である。
【図８】比較例による硬貨処理装置のディスプレイに表示される回収方法のメニュー画面例を示す図である。
【図９】本発明の実施形態によるバラ硬貨全回収（自動回収）の動作処理を示すフローチャートである。
【図１０】本発明の変形例１によるバラ硬貨全回収（自動回収）の動作処理を示すフローチャートである。
【図１１】本発明の変形例２による判断基準を本発明の実施形態に応用した場合のバラ硬貨全回収（自動回収）の動作処理を示すフローチャートである。
【図１２】本発明の変形例２による判断基準を変形例１に応用した場合のバラ硬貨全回収（自動回収）の動作処理を示すフローチャートである。
【図１３】本発明の変形例３による判断基準を本発明の実施形態に応用した場合のバラ硬貨全回収（自動回収）の動作処理を示すフローチャートである。
【図１４】本発明の変形例３による判断基準を変形例１に応用した場合のバラ硬貨全回収（自動回収）の動作処理を示すフローチャートである。
【発明を実施するための形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
また、本明細書及び図面に記載のバラ硬貨出金リジェクト庫３３は、特許請求の範囲に記載のバラ硬貨出金部に含まれる。また、本明細書及び図面に記載の棒金放出口３８は、特許請求の範囲に記載の包装硬貨出金部に含まれる。
【００２６】
＜１．硬貨処理装置１の概略＞
まず、図１を参照して、本発明の実施形態による硬貨処理装置の概略について説明する。
【００２７】
図１は、本発明の実施形態による硬貨処理装置１の概略外観図である。図１に示したように、硬貨処理装置１は、キーボード２０、バラ硬貨入金部３０、ディスプレイ４０、タッチパネル５０、バラ硬貨出金口３２、棒金出金口３７、および棒金放出口３８を備える。
【００２８】
硬貨処理装置１は、顧客がキーボード２０やタッチパネル５０から指示した操作に応じて硬貨の処理を行う。例えば、顧客がバラ硬貨をバラ硬貨入金部３０から入金し、タッチパネル５０から所定の金種への両替指示を行なった場合は、硬貨処理装置１は所定の金種について、５０枚単位を棒金で棒金出金口３７から出金し、５０枚の剰余分または５０枚に満たない金種のバラ硬貨をバラ硬貨出金口３２から出金する。具体的には、１円硬貨を１３６枚出金する場合、棒金出金口３７から２本、バラ硬貨出金口３２から３６枚出金する。また、顧客がタッチパネル５０から包装指示を行なった場合は、硬貨処理装置１に収納された包装された複数の硬貨が棒金出金口３７から出金される。
【００２９】
一方、硬貨全回収時には、まず、ディスプレイ４０に回収方法メニュー画面が表示される。回収方法のメニュー画面の一例を図２に示す。図２に示すように、本実施形態による硬貨処理装置１の硬貨全回収の回収方法メニューとして、「バラ硬貨全回収（手回収）」の項目４００、「バラ硬貨全回収（包装回収）」の項目４０２、「バラ硬貨全回収（自動選択）」の項目４０４、および「棒金一部回収」の項目４０６等が表示される。
【００３０】
硬貨処理装置１は、上記回収方法メニューからオペレータが選択した項目に応じて硬貨出金処理を行う。例えば、「棒金一部回収」の項目４０６が選択された場合は、棒金金庫３６が納められている筐体のロックが外れるので、オペレータは筐体を開けて棒金金庫３６から棒金を手で取り出す。他の回収方法については、＜３．回収方法＞において詳細に説明する。
【００３１】
＜２．硬貨処理装置１の構成＞
次に、本発明の実施形態による硬貨処理装置１の構成について図３を参照して説明する。図３は、本実施形態による硬貨処理装置１のブロック構成図である。図３に示すように、本実施形態による硬貨処理装置１は、キーボード２０、バラ硬貨入金部３０、ディスプレイ４０、タッチパネル５０、バラ硬貨金庫３１、バラ硬貨出金口３２、バラ硬貨出金リジェクト庫３３、硬貨包装部３４、端数貨収納庫３５、棒金金庫３６、棒金出金口３７、および棒金放出口３８を備える。
【００３２】
キーボード２０は、数字、英字、矢印などの操作入力するためのキーを有する。操作者は、キーボード２０により、暗証番号、パスワード、取引金額などを入力することができる。
【００３３】
ディスプレイ４０は、顧客操作を誘導する表示画面を表示する。より具体的には、ディスプレイ４０は、バラ硬貨全回収処理時に回収方法のメニューを表示ので、当該表示に基づいて操作者が回収方法を選択可能となる。
【００３４】
タッチパネル５０は、ディスプレイ４０上に設けられ、画面への接触を検知して操作入力を受け付ける。
【００３５】
制御部６０は、硬貨処理装置１の動作全般を制御する。具体的には、図３に示すように、制御部６０は硬貨処理装置１内の各構成と制御線で接続され、オペレータによるキーボード２０やタッチパネル５０からの入力を受信して、ディスプレイ４０への表示制御、各構成への硬貨搬送などの動作指示を行なう。また、制御装置６０は、各構成からの動作結果を受信してディスプレイ４０への表示制御処理、各構成への動作指示を行なう。さらに、制御部６０は、硬貨処理装置１内に収納される硬貨の在高、各構成の状態・情報を取得する。
【００３６】
バラ硬貨入金部３０は、外部からの硬貨の取り込み口を有し、取り込んだバラ硬貨を金種別に分類してバラ硬貨金庫３１に搬送する。
【００３７】
バラ硬貨金庫３１は、バラ硬貨入金部３０から搬送されてきた硬貨を金種別に収納し、制御部６０からの指示により、バラ硬貨出金口３２、または硬貨包装部３４に搬送する。出金時において、バラ硬貨はバラ硬貨金庫３１からバラ硬貨出金口３２に搬送され、金種判別できなかった不良硬貨または不正な硬貨がバラ硬貨出金リジェクト庫３３に搬送される。バラ硬貨全回収時に、後述する「バラ硬貨全回収（手回収）」が選択されると、全てのバラ硬貨がバラ硬貨出金リジェクト庫３３に搬送される。また、後述する「バラ硬貨全回収（包装回収）」が選択されると、全てのバラ硬貨が硬貨包装部３４に搬送される。
【００３８】
硬貨包装部３４は、バラ硬貨金庫３１から搬送された硬貨を、包装単位枚数である所定量毎（例えば５０枚毎）に包装して棒金を作成する。包装時に生じた端数のバラ硬貨は、端数貨収納庫３５に搬送される。また、硬貨包装部３４への搬送時に金種判別できなかった不良硬貨、または不正な硬貨も端数貨収納庫３５に搬送される。
【００３９】
硬貨包装部３４で作成された棒金は、棒金金庫３６に搬送され収納されるか、棒金放出口３８から装置外に放出される。どちらに搬送されるかは業務によって変更可能である。
【００４０】
棒金金庫３６に収納された棒金は、出金時に制御部６０の動作指示にしたがって棒金出金口３７から出金される。なお、出金時に払い出す棒金が足りない場合は、硬貨包装部３４はバラ硬貨金庫３１から搬送された硬貨を新たに包装して棒金を作成し、棒金金庫３６に搬送してから棒金出金口３７から出金する。
【００４１】
一方、硬貨回収時に、後述する「バラ硬貨全回収（包装回収）」が選択されると、バラ硬貨金庫３１の全ての硬貨が硬貨包装部３４に搬送され、所定量毎に包装した棒金が作成され、棒金放出口３８から放出される。また、例えば、硬貨回収時に、「棒金一部回収」が選択されると、棒金金庫３６を収納する筐体のロックが外れるので、オペレータが棒金金庫３６から棒金を手で回収する。
【００４２】
上述したバラ硬貨出金口３２、バラ硬貨出金リジェクト庫３３、端数貨収納庫３５、および棒金出金口３７は、通常はロックまたは蓋がされていて、硬貨が取り出せないようになっている。制御部６０からの指示に応じてロック解除、または蓋が開くことで、顧客やオペレータは中の硬貨を取り出すことができる。
【００４３】
＜３．回収方法＞
次に、本発明の実施形態による硬貨処理装置１が行うバラ硬貨全回収の各回収方法について図面を参照して説明する。
【００４４】
［３−１．バラ硬貨全回収（手回収）］
図２に示したメニュー表示画面に表示された項目のうち、オペレータにより「バラ硬貨全回収（手回収）」の項目４００が選択されると、制御部６０の指示により、バラ硬貨金庫３１に収納されるバラ硬貨が全てバラ硬貨出金リジェクト庫３３に搬送される。オペレータはバラ硬貨出金リジェクト庫３３を取り出し、硬貨を回収し、空になったバラ硬貨出金リジェクト庫３３を硬貨処理装置１に戻してセットする。以下、図４を参照し、このような「バラ硬貨全回収（手回収）」の動作処理をより具体的に説明する。
【００４５】
図４は、本実施形態による硬貨処理装置１が行うバラ硬貨全回収（手回収）の動作処理を示すフローチャートである。
【００４６】
まず、オペレータにより「バラ硬貨全回収（手回収）」の項目４００が選択されると、ステップＳ２２１において、バラ硬貨金庫３１に格納されているバラ硬貨が、制御部６０からの指示に従ってバラ硬貨をバラ硬貨出金リジェクト庫３３に搬送される。次いで、ステップＳ２２３において、バラ硬貨出金リジェクト庫３３が満杯、またはバラ硬貨金庫３１が空と判断されると、処理はステップＳ２２５に進む。
【００４７】
そして、ステップＳ２２５において、制御部６０はバラ硬貨出金リジェクト庫３３のロックを解除し、バラ硬貨出金リジェクト庫３３の硬貨を取り出すよう促す画面をディスプレイ４０に表示する。ここで、バラ硬貨全回収（手回収）時の硬貨の搬送経路を図５に示す。図５に示すように、硬貨はバラ硬貨金庫３１からバラ硬貨出金リジェクト庫３３に搬送され、オペレータにより回収される。
【００４８】
次に、ステップＳ２２７においてバラ硬貨金庫３１が空になったか判断し、空になるまでステップＳ２２１〜Ｓ２２５の処理を繰り返す。
【００４９】
なお、以上説明した図４に示す動作処理（ステップＳ２２１〜Ｓ２２７；以下、処理Ａ）は、１円硬貨、１０円硬貨、１００円硬貨などの金種毎に回収される場合の例であるため、金種毎に行われる。
【００５０】
［３−２．バラ硬貨全回収（包装回収）］
図２に示したメニュー表示画面に表示された項目のうち、オペレータにより「バラ硬貨全回収（包装回収）」の項目４０２が選択されると、制御部６０の指示により、バラ硬貨金庫３１に収納されるバラ硬貨は金種毎に硬貨包装部３４に搬送される。硬貨包装部３４は、所定量毎に硬貨を包装して棒金を作成し、棒金放出口３８から棒金を放出する。包装時に余った硬貨は端数貨収納庫３５に搬送され、端数貨収納庫３５から回収される。また、バラ硬貨が硬貨包装部３４に包装される際に金種が正しく認識できなかった硬貨は端数貨収納庫３５に搬送され、端数貨収納庫３５から回収される。以下、図６を参照し、このような「バラ硬貨全回収（包装回収）」の動作処理についてより具体的に説明する。
【００５１】
図６は、本実施形態による硬貨処理装置１が行うバラ硬貨全回収（包装回収）の動作処理を示すフローチャートである。
【００５２】
まず、オペレータにより「バラ硬貨全回収（包装回収）」の項目４０２が選択されると、ステップＳ２３１において、バラ硬貨金庫３１に格納されているバラ硬貨が制御部６０からの指示に従ってバラ硬貨金庫３１からバラ硬貨を硬貨包装部３４に搬送される。次いで、ステップＳ２３３において、硬貨包装部３４に所定量（例えば５０枚）の硬貨が搬送されたと判断されると、処理はステップＳ２３５に進む。
【００５３】
次に、ステップＳ２３５において、硬貨包装部３４は所定量の硬貨を包装して棒金を作成し、作成された棒金は棒金放出口３８から放出される。
【００５４】
次に、ステップＳ２３７においてバラ硬貨金庫３１が空になったか判断し、空になるまでステップＳ２３１〜Ｓ２３５の処理を繰り返す。
【００５５】
また、ステップＳ２３９において、硬貨包装部３４で包装時に生じた端数の硬貨は端数貨収納庫３５に搬送される。
【００５６】
そして、ステップＳ２４１において、制御部６０は端数貨収納庫３５のロックを解除し、端数貨収納庫３５の硬貨を取り出すよう促す画面をディスプレイ４０に表示する。ここで、バラ硬貨全回収（包装回収）時の硬貨の搬送経路を図７に示す。図７に示すように、硬貨はバラ硬貨金庫３１から硬貨包装部３４または端数貨収納庫３５に搬送され、オペレータにより回収される。
【００５７】
なお、以上説明した図６に示す動作処理（Ｓ２３１〜Ｓ２４１；以下、処理Ｂ）は、金種毎に行われる。
【００５８】
（比較例）
ここで、比較例による硬貨処理装置について図８を参照して説明する。図８は、比較例による硬貨処理装置のディスプレイに表示される回収方法のメニュー画面である。図８のメニュー画面４２に示すように、比較例による硬貨処理装置では、バラ硬貨全回収の方法として、「バラ硬貨全回収（手回収）」および「バラ硬貨全回収（包装回収）」しか存在しなかった。
【００５９】
「バラ硬貨全回収（手回収）」では、バラ硬貨出金リジェクト庫３３が満杯になった場合、オペレータはバラ硬貨出金リジェクト庫３３を取り外し、中の硬貨を取り出してから、バラ硬貨出金リジェクト庫３３を取り付け、再度バラ硬貨のバラ硬貨出金リジェクト庫３３への搬送を待たなければならなかった。このように、バラ硬貨金庫３１が空になるまで、上記図４を参照して説明したステップＳ２２１〜Ｓ２２７が繰り返され、オペレータはバラ硬貨出金リジェクト庫３３の取り外しと取り付けを繰り返す必要があり、硬貨全回収に手間と時間がかかっていた。
【００６０】
また、「バラ硬貨全回収（包装回収）」では、バラ硬貨金庫３１に収納される硬貨が包装する際の所定量に満たない場合も、一旦バラ硬貨が硬貨包装部３４へ搬送され、所定量に満たない硬貨として端数貨幣収納庫３５に搬送される。このように、「バラ硬貨全回収（包装回収）」では、硬貨包装部３４に必要のない動作（図６に示すステップＳ２３１およびＳ２３３）をさせる場合が生じ、硬貨全回収に無駄な時間がかかっていた。
【００６１】
上述したように、バラ硬貨金庫３１に収納されるバラ硬貨の在高をディスプレイ４０に表示させることで、オペレータがバラ硬貨の在高を確認して適切な回収方法を選択することもできるが、オペレータが毎回在高を確認して回収方法の判断を行うことは作業が煩雑になり、作業負担が増大するという問題があった。
【００６２】
そこで、バラ硬貨金庫３１に収納されている硬貨の量に応じて自動的に回収方法を判断する「バラ硬貨全回収（自動回収）」を実現させ、硬貨回収作業の効率をより向上させる本実施形態による硬貨処理装置１に至った。以下、バラ硬貨全回収（自動回収）について詳細に説明する。
【００６３】
［３−３．バラ硬貨全回収（自動回収）］
図２に示したメニュー表示画面に表示された項目のうち、オペレータにより「バラ硬貨全回収（自動回収）」の項目４０４が選択されると、制御部６０の指示により、バラ硬貨金庫３１に収納されるバラ硬貨の量に応じて、バラ硬貨がバラ硬貨出金リジェクト庫３３または硬貨包装部３４に搬送される。以下、図９を参照し、「バラ硬貨全回収（自動回収）」の動作処理についてより具体的に説明する。
【００６４】
図９は、本実施形態による硬貨処理装置１が行うバラ硬貨全回収（自動回収）の動作処理を示すフローチャートである。
【００６５】
まず、オペレータにより「バラ硬貨全回収（自動回収）」の項目４０４が選択されると、ステップＳ２４５において、バラ硬貨金庫３１内の全ての金種の硬貨が所定量未満であるか否かを制御部６０が判断する。なお、図９においては所定量が硬貨５０枚である例を示している。
【００６６】
バラ硬貨金庫３１に収納される全ての金種の硬貨が所定量未満の場合は、処理はステップＳ２４７に進む。そして、Ｓ２４７において、処理Ａ（図４のステップＳ２２１〜Ｓ２２７／「バラ硬貨全回収（手回収）」）が実行される。すなわち、バラ硬貨金庫３１に収納されたバラ硬貨が金種毎に順次バラ硬貨出金リジェクト庫３３に搬送される。バラ硬貨出金リジェクト庫３３に搬送される金種の順序は特に限定されない。なお、ここでは金種毎に搬送する例を示したが、全金種を一括してバラ硬貨出金リジェクト庫３３に搬送してもよい。
【００６７】
一方、バラ硬貨金庫３１に収納される硬貨が所定量未満でない場合は、処理はステップＳ２４９に進む。Ｓ２４９において、処理Ｂ（図６のステップＳ２３１〜Ｓ２４１／「バラ硬貨全回収（包装回収）」）が実行される。すなわち、バラ硬貨金庫３１に収納されたバラ硬貨は金種毎に順次硬貨包装部３４に搬送される。硬貨包装部３４は、所定量毎に硬貨を包装して棒金を作成し、作成した棒金は棒金放出口３８から放出される。硬貨包装部３４に搬送される順序は特に限定されない。なお、所定量に満たない金種の硬貨、および包装時に生じた端数の硬貨は端数貨収納庫３５に搬送される。
【００６８】
以上説明したように、本実施形態による硬貨処理装置１によれば、バラ硬貨金庫３１に収納される全ての金種の硬貨が５０枚未満の場合について、無駄に硬貨包装部３４を動作させることなく、自動的にバラ硬貨全回収（手回収）が行われる。これにより、回収の処理時間を短縮することができる。また、硬貨が５０枚以上格納されている金種が存在する場合には、この金種の硬貨を棒金として回収できるので、オペレータの手間を軽減することができる。
【００６９】
続いて、本実施形態による硬貨処理装置１によるバラ硬貨全回収（自動回収）の変形例１から３について図１０から図１４を参照して説明する。
【００７０】
（変形例１）
上記図９を参照して説明したバラ硬貨全回収（自動回収）は、バラ硬貨金庫３１に収納される全金種の硬貨が所定量未満の場合に、硬貨包装部３４の無駄な動作を回避することができるが、変形例１では、バラ硬貨金庫３１に収納される硬貨について金種毎に所定量未満か否かを判断することで、さらに効果的に回収の処理時間を短縮する。以下、図１０を参照し、変形例１による「バラ硬貨全回収（自動回収）」の動作処理をより具体的に説明する。
【００７１】
図１０は、変形例１によるバラ硬貨全回収（自動回収）の動作処理を示すフローチャートである。
【００７２】
まず、オペレータにより「バラ硬貨全回収（自動回収）」の項目４０４が選択されると、ステップＳ２５１において、バラ硬貨金庫３１内の１の金種の硬貨が所定量未満であるか否かを制御部６０が判断する。なお、図１０においては所定量が硬貨５０枚である例を示している。
【００７３】
１の金種の硬貨が所定量未満である場合は、処理はステップＳ２５３に進む。そして、Ｓ２５３において、処理Ａ（図４のステップＳ２２１〜Ｓ２２７／「バラ硬貨全回収（手回収）」）が実行される。すなわち、バラ硬貨金庫３１に収納された１の金種のバラ硬貨がバラ硬貨出金リジェクト庫３３に搬送される。
【００７４】
一方、１の金種の硬貨が所定量未満でない場合は、処理はステップＳ２５５に進む。そして、Ｓ２５５において、処理Ｂ（図６のステップＳ２３１〜Ｓ２４１／「バラ硬貨全回収（包装回収）」）が実行される。すなわち、バラ硬貨金庫３１に収納された１の金種のバラ硬貨が硬貨包装部３４に搬送される。硬貨包装部３４は、所定量毎に硬貨を包装して棒金を作成し、作成した棒金は棒金放出口３８から放出される。また、硬貨包装部３４で生じた端数の硬貨は、端数貨収納庫３５に搬送される。
【００７５】
なお、以上説明した図１０に示す動作処理（ステップＳ２５１、Ｓ２５３）は、１円硬貨、１０円硬貨、１００円硬貨などの金種毎に回収される場合の例であるため、金種毎に行われる。
【００７６】
例えば、バラ硬貨金庫３１内の状態が、５００円硬貨１０枚、１００円硬貨１０枚、５０円硬貨１０枚、１０円硬貨１０枚、５円硬貨１０枚、１円硬貨１０００枚、といった状態の場合に、上記実施形態による処理だと、バラ硬貨金庫３１内には全体として硬貨が所定量以上あるので全金種について「バラ硬貨全回収（包装回収）」が行われる。しかし、１円硬貨以外は所定量に満たさないため、結局は硬貨包装部３４から端数貨収納庫３５に搬送され、硬貨包装部３４での処理等が無駄な動作となる。これに対し、上記変形例１による処理では、金種ごとに「バラ硬貨全回収（手回収）」または「バラ硬貨全回収（包装回収）」のうち適切な処理を行うことができるので、より効果的に回収の処理時間を短縮することができる。
【００７７】
（変形例２）
上記実施形態による処理および変形例１による処理は、いずれもバラ硬貨金庫３１内に実際に収納されている硬貨の量（在高）を所定量と比較しているが、全体的に品質の悪い硬貨が硬貨包装部３４に搬送される際に不良硬貨として端数貨収納庫３５に搬送されることは考慮されていない。バラ硬貨金庫３１内の硬貨が、硬貨包装部３４が包装できる包装単位枚数である所定量より少しだけ多いような場合は、不良硬貨がバラ硬貨出金リジェクト庫３３に搬送された結果、硬貨包装部３４に搬送される硬貨の枚数が包装単位枚数に満たなくなる場合がある。
【００７８】
したがって、変形例２では、バラ硬貨金庫３１内の硬貨の量（在高）から算出される支払可能量を基準として、支払可能量が所定量未満か否かを判断し、より効果的に回収の処理時間を短縮する。
【００７９】
支払可能量は、以下の式（１）で求められる。
【００８０】
支払可能量
＝バラ硬貨金庫３１内の硬貨量×（１−搬送時にリジェクトされる硬貨量の割合の予想値）
・・・式（１）
【００８１】
変形例２による判断基準を、上記実施形態１に応用した場合の動作処理を、図１１に示す。図１１は、変形例２による判断基準を実施形態に応用した場合のバラ硬貨全回収（自動回収）の動作処理を示すフローチャートである。
【００８２】
図１１のステップＳ２５７に示すように、オペレータにより「バラ硬貨全回収（自動回収）」の項目４０４が選択されると、バラ硬貨金庫３１内の各金種の支払可能量が全て所定量未満であるか否かを制御部６０が判断する。なお、図１１においては所定量が硬貨５０枚である例を示している。
【００８３】
バラ硬貨金庫３１に収納される各金種の支払可能量の全てが所定量未満の場合は、処理はステップＳ２５９に進む。そして、Ｓ２５９において、処理Ａ（図４のステップＳ２２１〜Ｓ２２７／「バラ硬貨全回収（手回収）」）が実行される。
【００８４】
一方、バラ硬貨金庫３１に収納される少なくともいずれかの金種の支払可能量が所定量未満でない場合は、処理はステップＳ２６０に進む。そして、Ｓ２６０において、処理Ｂ（図６のステップＳ２３１〜Ｓ２４１／「バラ硬貨全回収（包装回収）」）が実行される。
【００８５】
また、変形例２による判断基準を、上記変形例１に応用した場合の動作処理を、図１２に示す。図１２は、変形例２による判断基準を変形例１に応用した場合のバラ硬貨全回収（自動回収）の動作処理を示すフローチャートである。
【００８６】
図１２のステップＳ２６１に示すように、オペレータにより「バラ硬貨全回収（自動回収）」の項目４０４が選択されると、バラ硬貨金庫３１内のある金種の支払可能量が所定量未満か否かを制御部６０が判断する。なお、図１２においては所定量が硬貨５０枚である例を示している。
【００８７】
バラ硬貨金庫３１に収納されるある金種の支払可能量が所定量未満である場合は、処理はステップＳ２６３に進む。そして、Ｓ２６３において、処理Ａ（図４のステップＳ２２１〜Ｓ２２７／「バラ硬貨全回収（手回収）」）が実行される。
【００８８】
一方、バラ硬貨金庫３１に収納されるある金種の支払可能量が所定量未満でない場合は、処理はステップＳ２６４に進む。そして、Ｓ２６４おいて、処理Ｂ（図６のステップＳ２３１〜Ｓ２４１／「バラ硬貨全回収（包装回収）」）が実行される。
【００８９】
なお、以上説明した図１１、図１２に示す各動作処理（ステップＳ２５９、Ｓ２６０、Ｓ２６１と２６３、およびＳ２６１とＳ２６４）は、１円硬貨、１０円硬貨、１００円硬貨などの金種毎に回収される場合の例であるため、それぞれ金種毎に行われる。
【００９０】
以上説明したように、変形例２によれば、バラ硬貨が硬貨包装部３４に搬送される際に不良硬貨として端数貨収納庫３５に搬送されることを考慮できる。これにより、不良硬貨を除くバラ硬貨の枚数が包装単位枚数未満である場合にバラ硬貨が硬貨包装部３４に搬送され、端数貨収納庫３５に搬送されることを防止できるので、より効果的に回収の処理時間を短縮できる。
【００９１】
（変形例３）
バラ硬貨金庫３１内の硬貨の量もしくは支払可能量が所定量以上であって、「バラ硬貨全回収（包装回収）」が可能な場合であっても、硬貨包装部３４の処理動作が遅いような場合であって、かつ、バラ硬貨金庫３１内の硬貨量がバラ硬貨出金リジェクト３３の収納容量の限界値を超えない場合は、「バラ硬貨全回収（手回収）」によりバラ硬貨出金リジェクト庫３３から回収した方がより効果的に回収の処理時間を短縮できる。
【００９２】
したがって、変形例３では、バラ硬貨金庫３１内の硬貨の量が、バラ硬貨出金リジェクト庫３３の収納容量の限界値を示す値（以下、しきい値と称す）未満か否かにより、「バラ硬貨全回収（手回収）」または「バラ硬貨全回収（包装回収）」のいずれかを選択し、より効果的に回収の処理時間を短縮する。
【００９３】
変形例３による判断基準を、上記実施形態１に応用した場合の動作処理を、図１３に示す。図１３は、変形例３による判断基準を実施形態に応用した場合のバラ硬貨全回収（自動回収）の動作処理を示すフローチャートである。
【００９４】
図１３のステップＳ２６５に示すように、オペレータにより「バラ硬貨全回収（自動回収）」の項目４０４が選択されると、バラ硬貨金庫３１内の全ての硬貨量が閾値未満か否かを制御部６０が判断する。
【００９５】
バラ硬貨金庫３１に収納される硬貨量がしきい値未満の場合は、処理はステップＳ２６７に進む。そして、Ｓ２６７において、処理Ａ（図４のステップＳ２２１〜Ｓ２２７／「バラ硬貨全回収（手回収）」）が実行される。
【００９６】
一方、バラ硬貨金庫３１に収納される硬貨量がしきい値未満でない場合は、処理はステップＳ２６８に進む。そして、Ｓ２６８において、処理Ｂ（図６のステップＳ２３１〜Ｓ２４１／「バラ硬貨全回収（包装回収）」）が実行される。
【００９７】
また、変形例３による判断基準を上記変形例１に応用した場合の動作処理を図１４に示す。図１４は、変形例３による判断基準を変形例１に応用した場合のバラ硬貨全回収（自動回収）の動作処理を示すフローチャートである。
【００９８】
図１４のステップＳ２７１に示すように、オペレータにより「バラ硬貨全回収（自動回収）」の項目４０４が選択されると、バラ硬貨金庫３１内の金種ごとの硬貨量がしきい値未満か否かを制御部６０が判断する。
【００９９】
バラ硬貨金庫３１に収納される１つの金種の支払可能量がしきい値未満の場合は、処理はステップＳ２７３に進む。そして、Ｓ２７３において、処理Ａ（図４のステップＳ２２１〜Ｓ２２７／「バラ硬貨全回収（手回収）」）が実行される。
【０１００】
一方、バラ硬貨金庫３１に収納される１つの金種の硬貨量がしきい値未満でない場合は、処理はステップＳ２７４に進む。そして、Ｓ２７４において、処理Ｂ（図６のステップＳ２３１〜Ｓ２４１／「バラ硬貨全回収（包装回収）」）が実行される。
【０１０１】
なお、以上説明した図１３、図１４に示す各動作処理（ステップＳ２６７、Ｓ２６８、Ｓ２７１と２７３、およびＳ２７１とＳ２７４）は、１円硬貨、１０円硬貨、１００円硬貨などの金種毎に回収される場合の例であるため、それぞれ金種毎に行われる。
【０１０２】
以上説明したように、変形例３によれば、バラ硬貨出金リジェクト庫３３の収納容量の限界値を考慮することで、より効果的に回収の処理時間を短縮できる。
【０１０３】
＜４．まとめ＞
上述したように、本発明の実施形態による硬貨処理装置によれば、バラ硬貨金庫３１に格納されている硬貨の量に応じてバラ硬貨出金リジェクト庫３３または硬貨包装部３４にバラ硬貨を搬送することで、硬貨回収作業の効率をより向上させることができる。
【０１０４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０５】
例えば、上記実施形態において図４を参照して説明した「バラ硬貨全回収（手回収）」は、制御部６０の指示によりバラ硬貨金庫３１に収納されるバラ硬貨を金種別にバラ硬貨出金リジェクト庫３３に搬送するが、本発明はかかる例に限定されない。例えばバラ硬貨金庫３１から全金種のバラ硬貨を一括して搬送してもよい。
【０１０６】
また、上記実施形態、変形例１、変形例２、および変形例３で説明した「バラ硬貨全回収（自動選択）」のうち、どの自動選択を実行するようにするかは、予め設定していてもよいし、オペレータが回収メニュー画面から選択できるようにしてもよい。
【符号の説明】
【０１０７】
１    硬貨処理装置
２０    キーボード
３０    バラ硬貨入金部
３１    バラ硬貨金庫
３２    バラ硬貨出金口
３３    バラ硬貨出金リジェクト庫
３４    硬貨包装部
３５    端数貨収納庫
３６    棒金金庫
３７    棒金出金口
３８    棒金放出口
４０    ディスプレイ
５０    タッチパネル
【図１】
2012208806.tif 000003
【図２】
2012208806.tif 000004
【図３】
2012208806.tif 000005
【図４】
2012208806.tif 000006
【図５】
2012208806.tif 000007
【図６】
2012208806.tif 000008
【図７】
2012208806.tif 000009
【図８】
2012208806.tif 000010
【図９】
2012208806.tif 000011
【図１０】
2012208806.tif 000012
【図１１】
2012208806.tif 000013
【図１２】
2012208806.tif 000014
【図１３】
2012208806.tif 000015
【図１４】
2012208806.tif 000016